(57)【特許請求の範囲】
【請求項１】
ユーザが目標顔アルバム中のピクチャを閲覧するためにトリガーした閲覧指令を取得するステップと、
前記ユーザの特徴情報を取得するステップと、
前記ユーザの特徴情報に基づき、前記ユーザと前記目標顔アルバム中のピクチャに対応する被閲覧者との人物関係を特定するステップと、
あらかじめ設定された各人物関係と各音楽ジャンルとの対応関係に基づき、前記人物関係に対応する目標音楽ジャンルを特定するステップと、
前記目標顔アルバム中のピクチャおよび前記目標音楽ジャンルに対応する音楽を再生するステップと、を含み、
前記ユーザの特徴情報に基づき前記ユーザと前記目標顔アルバム中のピクチャに対応する被閲覧者との人物関係を特定するステップは、
前記特徴情報と予め設定された第１ユーザの特徴情報とをマッチングさせるステップと、
前記特徴情報と前記第１ユーザの特徴情報とが一致する場合には、前記ユーザが前記第１ユーザであると特定し、かつ、前記第１ユーザが前記目標顔アルバムのために設けた分類タグに基づき前記第１ユーザと前記目標顔アルバム中のピクチャに対応する被閲覧者との人物関係を特定するステップと、
前記特徴情報と前記第１ユーザの特徴情報とが一致しない場合には、前記ユーザが第２ユーザであると特定し、前記第２ユーザと前記目標顔アルバム中のピクチャに対応する被閲覧者との人物関係を特定するステップと、を含むことを特徴とする音楽再生装置が実行する顔アルバムに基づく音楽再生方法。
【請求項２】
前記ユーザの特徴情報を取得するステップは、
前記ユーザの指紋を取得するステップを含むことを特徴とする請求項１に記載の顔アルバムに基づく音楽再生方法。
【請求項３】
前記ユーザが前記第２ユーザであると特定し、前記第２ユーザと前記目標顔アルバム中のピクチャに対応する被閲覧者との人物関係を特定するステップは、
前記第２ユーザの人物顔画像を取得するステップと、
前記第２ユーザの人物顔画像と各顔アルバムに対応する人物顔画像とをマッチングさせるステップと、
前記第２ユーザの人物顔画像と一致する顔アルバムが存在する場合には、一致する顔アルバムの分類タグおよび前記目標顔アルバムの分類タグに基づき、前記第２ユーザと前記被閲覧者との人物関係を特定するステップと、を含むことを特徴とする請求項２に記載の顔アルバムに基づく音楽再生方法。
【請求項４】
前記ユーザの特徴情報を取得するステップは、
前記ユーザの人物顔画像を取得するステップを含むことを特徴とする請求項１に記載の顔アルバムに基づく音楽再生方法。
【請求項５】
前記第２ユーザと前記目標顔アルバム中のピクチャに対応する被閲覧者との人物関係を特定するステップは、
前記第２ユーザの人物顔画像と各顔アルバムに対応する人物顔画像とをマッチングさせるステップと、
前記第２ユーザの人物顔画像と一致する顔アルバムが存在する場合には、一致する顔アルバムの分類タグおよび前記目標顔アルバムの分類タグに基づき、前記第２ユーザと前記被閲覧者との人物関係を特定するステップと、を含むことを特徴とする請求項４に記載の顔アルバムに基づく音楽再生方法。
【請求項６】
前記一致する顔アルバムの分類タグおよび前記目標顔アルバムの分類タグに基づき、前記第２ユーザと前記被閲覧者との人物関係を特定するステップは、
一致する顔アルバムの分類タグに基づき、前記第１ユーザと前記第２ユーザとの人物関係を特定するステップと、
前記第１ユーザと前記被閲覧者との人物関係、および前記第１ユーザと前記第２ユーザとの人物関係に基づき、前記第２ユーザと前記被閲覧者との人物関係を特定するステップと、を含むことを特徴とする請求項３または５に記載の顔アルバムに基づく音楽再生方法。
【請求項７】
前記第２ユーザの人物顔画像と一致する顔アルバムが存在しない場合には、前記第２ユーザの人物特徴を取得するステップと、
前記人物特徴情報および前記第１ユーザと前記被閲覧者との人物関係に基づき、前記第２ユーザと前記被閲覧者との人物関係を特定するステップと、をさらに含み、
前記人物特徴情報は年齢層特徴情報および/または性別特徴情報を含むことを特徴とする請求項３または５に記載の顔アルバムに基づく音楽再生方法。
【請求項８】
前記目標顔アルバム中のピクチャを撮影時間または保存時間の前後順位に従いソートするステップをさらに含むことを特徴とする請求項１に記載の顔アルバムに基づく音楽再生方法。
【請求項９】
ユーザが目標顔アルバム中のピクチャを閲覧するためにトリガーした閲覧指令を取得するための第１取得モジュールと、
前記ユーザの特徴情報を取得するための第２取得モジュールと、
前記ユーザの特徴情報に基づき前記ユーザと前記目標顔アルバム中のピクチャに対応する被閲覧者との人物関係を特定するための第１特定モジュールと、
あらかじめ設定された各人物関係と各音楽ジャンルとの対応関係に基づき、前記第１特定モジュールが特定した前記人物関係に対応する目標音楽ジャンルを特定するための第２特定モジュールと、
前記目標顔アルバム中のピクチャおよび前記第２特定モジュールが特定した前記目標音楽ジャンルに対応する音楽を再生するための再生モジュールと、を備え、
前記第２取得モジュールは、
前記ユーザの指紋情報を取得するための第１取得サブモジュールを備え、
前記第１特定モジュールは、
第１取得サブモジュールが取得した前記指紋情報と予め設定された第１ユーザの指紋情報とをマッチングさせるための第１マッチングサブモジュールと、
前記指紋情報と前記第１ユーザの指紋情報とが一致する場合には、前記ユーザが前記第１ユーザであると特定し、かつ前記第１ユーザが前記目標顔アルバムのために設けた分類タグに基づき前記第１ユーザと前記目標顔アルバム中のピクチャに対応する被閲覧者との人物関係を特定するための第１特定サブモジュールと、
前記指紋情報と前記第１ユーザの指紋情報とが一致しない場合には、前記ユーザが第２ユーザであると特定し、前記第２ユーザと前記目標顔アルバム中のピクチャに対応する被閲覧者との人物関係を特定するための第２特定サブモジュールと、を備えることを特徴とする顔アルバムに基づく音楽再生装置。
【請求項１０】
前記第２特定サブモジュールは、
前記第２ユーザの人物顔画像を取得するための第１取得手段と、
前記第２ユーザの人物顔画像と各顔アルバムに対応する人物顔画像とをマッチングさせるためのマッチング手段と、
前記第２ユーザの人物顔画像と一致する顔アルバムが存在する場合には、一致する顔アルバムの分類タグおよび前記目標顔アルバムの分類タグに基づき、前記第２ユーザと前記被閲覧者との人物関係を特定するための第１特定手段と、を備えることを特徴とする請求項９に記載の顔アルバムに基づく音楽再生装置。
【請求項１１】
前記第１特定手段は、
一致する顔アルバムの分類タグに基づき、前記第１ユーザと前記第２ユーザとの人物関係を特定するための第１特定ユニットと、
前記第１特定サブモジュールが特定した前記第１ユーザと前記被閲覧者との人物関係、および前記第１特定ユニットが特定した前記第１ユーザと前記第２ユーザとの人物関係に基づき、前記第２ユーザと前記被閲覧者との人物関係を特定するための第２特定ユニットと、を備えることを特徴とする請求項１０に記載の顔アルバムに基づく音楽再生装置。
【請求項１２】
前記第２特定サブモジュールは、
前記マッチング手段が前記第２ユーザの人物顔画像と一致する顔アルバムをマッチングにより得られなかった場合には、前記第２ユーザの人物特徴情報を取得するための第２取得手段と、
前記第２取得手段が取得した前記人物特徴情報および前記第１特定サブモジュールが特定した前記第１ユーザと前記被閲覧者との人物関係に基づき、前記第２ユーザと前記被閲覧者との人物関係を特定するための第２特定手段と、をさらに備え、
前記人物特徴情報は年齢層特徴情報および/または性別特徴情報を含むことを特徴とする請求項１０に記載の顔アルバムに基づく音楽再生装置。
【請求項１３】
前記目標顔アルバム中のピクチャを撮影および保存時間の前後順位に従いソートするためのソートモジュールをさらに備えることを特徴とする請求項９に記載の顔アルバムに基づく音楽再生装置。
【請求項１４】
プロセッサと、
プロセッサの実行可能な指令を記憶するためのメモリと、を含み、
前記プロセッサは、
ユーザが目標顔アルバム中のピクチャを閲覧するためにトリガーした閲覧指令を取得し、
前記ユーザの特徴情報を取得し、
前記ユーザの特徴情報に基づき前記ユーザと前記目標顔アルバム中のピクチャに対応する被閲覧者との人物関係を特定し、
あらかじめ設定された各人物関係と各音楽ジャンルとの対応関係に基づき、前記人物関係に対応する目標音楽ジャンルを特定し、
前記目標顔アルバム中のピクチャおよび前記目標音楽ジャンルに対応する音楽を再生し、
前記ユーザの特徴情報に基づき前記ユーザと前記目標顔アルバム中のピクチャに対応する被閲覧者との人物関係を特定することは、
前記特徴情報と予め設定された第１ユーザの特徴情報とをマッチングさせ、
前記特徴情報と前記第１ユーザの特徴情報とが一致する場合には、前記ユーザが前記第１ユーザであると特定し、かつ、前記第１ユーザが前記目標顔アルバムのために設けた分類タグに基づき前記第１ユーザと前記目標顔アルバム中のピクチャに対応する被閲覧者との人物関係を特定し、
前記特徴情報と前記第１ユーザの特徴情報とが一致しない場合には、前記ユーザが第２ユーザであると特定し、前記第２ユーザと前記目標顔アルバム中のピクチャに対応する被閲覧者との人物関係を特定するように構成されることを特徴とする端末デバイス。
【発明の詳細な説明】
【技術分野】
【０００１】
本発明は、通信技術分野に関し、特に顔アルバムに基づく音楽再生方法、装置および端末デバイスに関する。
【背景技術】
【０００２】
ユーザはいつも携帯電話等の端末デバイスを利用して撮影し、撮影したピクチャを端末デバイスに保存する。ユーザが撮影した大量のピクチャを有効的に分類管理するために、関連技術では顔アルバムというアプリケーションを提供した。
【０００３】
顔アルバムとは、簡単に説明すると、ユーザが撮影した全てのピクチャに対して顔を識別して、同一顔を含む、つまり同一人物のピクチャを同一アルバムに入れることにより、顔によってピクチャを分類記憶し、管理することを実現したことを指す。
【０００４】
ユーザは各顔アルバム中のピクチャを閲覧する時に、雰囲気を際立たせるために、音楽を再生したくなる。例えば、ユーザは子供のピクチャを閲覧する時に、軽快で純真な音楽を選択して再生し、雰囲気を盛り上げる。しかし、音楽の選択はしばしば手動で行い、ユーザが複数の顔アルバムのピクチャを閲覧する時に、しばしば手動で選択し、音楽の再生を切り替える必要がある。
【発明の概要】
【発明が解決しようとする課題】
【０００５】
本発明は、顔アルバムに基づく音楽再生方法、装置および端末デバイスを提供し、ユーザが顔アルバム中のピクチャを閲覧する時に、自動的に音楽を選択して、ユーザの体験を向上させる。
【課題を解決するための手段】
【０００６】
本発明の実施例の第１の態様によれば、顔アルバムに基づく音楽再生方法を提供し、前記顔アルバムに基づく音楽再生方法は、
ユーザが目標顔アルバム中のピクチャを閲覧するためにトリガーした閲覧指令を取得するステップと、
前記ユーザの特徴情報を取得するステップと、
前記ユーザの特徴情報に基づき、前記ユーザと前記目標顔アルバム中のピクチャに対応する被閲覧者との人物関係を特定するステップと、
あらかじめ設定された各人物関係と各音楽ジャンルとの対応関係に基づき、前記人物関係に対応する目標音楽ジャンルを特定するステップと、
前記目標顔アルバム中のピクチャおよび前記目標音楽ジャンルに対応する音楽を再生するステップと、を含む。
【０００７】
当該技術案は、下記の有益な効果を含んでも良い。つまり、ユーザがある顔アルバム中のピクチャを閲覧すべき時には、取得した当該ユーザの特徴情報に基づき当該ユーザと当該顔アルバムに対応する人物顔画像、つまり、被閲覧者との人物関係を特定することができる。これにより、当該人物関係に基づき、それに対応する音楽ジャンルに対応する音楽の自動選択および再生を実現することができる。ある顔アルバムを閲覧する時に、閲覧者と被閲覧者との人物関係に基づき、それに対応する音楽を自動選択および再生することができるため、ユーザの操作の煩雑さを低減し、ユーザの体験を向上させた。
【０００８】
第1の態様の第1の実施可能な形態において、前記ユーザの特徴情報を取得するステップは、
前記ユーザの指紋を取得するステップを含み、
前記ユーザの特徴情報に基づき前記ユーザと前記目標顔アルバム中のピクチャに対応する被閲覧者との人物関係を特定するステップは、
前記指紋情報と予め設定された第１ユーザの指紋情報とをマッチングさせるステップと、
前記指紋情報と前記第１ユーザの指紋情報とが一致する場合には、前記ユーザが第１ユーザであると特定し、かつ、前記第１ユーザが前記目標顔アルバムのために設けた分類タグに基づき前記第１ユーザと前記目標顔アルバム中のピクチャに対応する被閲覧者との人物関係を特定するステップと、
前記指紋情報と前記第１ユーザの指紋情報とが一致しない場合には、前記ユーザが第２ユーザであると特定し、前記第２ユーザと前記目標顔アルバム中のピクチャに対応する被閲覧者との人物関係を特定するステップと、を含む。
【０００９】
第1の態様の第1の実施可能な形態に基づき、第1の態様の第２の実施可能な形態において、前記ユーザが第２ユーザであると特定し、前記第２ユーザと前記目標顔アルバム中のピクチャに対応する被閲覧者との人物関係を特定するステップは、
前記第２ユーザの人物顔画像を取得するステップと、
前記第２ユーザの人物顔画像と各顔アルバムに対応する人物顔画像とをマッチングさせるステップと、
前記第２ユーザの人物顔画像と一致する顔アルバムが存在する場合には、一致する顔アルバムの分類タグおよび前記目標顔アルバムの分類タグに基づき、前記第２ユーザと前記被閲覧者との人物関係を特定するステップと、を含む。
【００１０】
第1の態様の第３の実施可能な形態において、前記ユーザの特徴情報を取得するステップは、
前記ユーザの人物顔画像を取得するステップを含み、
前記ユーザの特徴情報に基づき前記ユーザと前記目標顔アルバム中のピクチャに対応する被閲覧者との人物関係を特定するステップは、
前記人物顔画像と予め設定された第１ユーザの人物顔画像とをマッチングさせるステップと、
前記人物顔画像と前記第１ユーザの人物顔画像とが一致する場合には、前記ユーザが第１ユーザであると特定し、かつ、前記第１ユーザが前記目標顔アルバムのために設けた分類タグに基づき前記第１ユーザと前記目標顔アルバム中のピクチャに対応する被閲覧者との人物関係を特定するステップと、
前記人物顔画像と前記第１ユーザの人物顔画像とが一致しない場合には、前記ユーザが第２ユーザであると特定し、前記第２ユーザと前記目標顔アルバム中のピクチャに対応する被閲覧者との人物関係を特定するステップと、を含む。
【００１１】
第1の態様の第３の実施可能な形態に基づき、第1の態様の第４の実施可能な形態において、前記第２ユーザと前記目標顔アルバム中のピクチャに対応する被閲覧者との人物関係を特定するステップは、
前記第２ユーザの人物顔画像と各顔アルバムに対応する人物顔画像とをマッチングさせるステップと、
前記第２ユーザの人物顔画像と一致する顔アルバムが存在する場合には、一致する顔アルバムの分類タグおよび前記目標顔アルバムの分類タグに基づき、前記第２ユーザと前記被閲覧者との人物関係を特定するステップと、を含む。
【００１２】
第1の態様を実現する第２または第４の実施可能な形態に基づき、第1の態様の第５の実施可能な形態において、
前記一致する顔アルバムの分類タグおよび前記目標顔アルバムの分類タグに基づき、前記第２ユーザと前記被閲覧者との人物関係を特定するステップは、
一致する顔アルバムの分類タグに基づき、前記第１ユーザと前記第２ユーザとの人物関係を特定するステップと、
前記第１ユーザと前記被閲覧者との人物関係、および前記第１ユーザと前記第２ユーザとの人物関係に基づき、前記第２ユーザと前記被閲覧者との人物関係を特定するステップと、を含む。
【００１３】
当該技術案は下記の有益な効果を含んでも良い。つまり、閲覧ユーザの人物顔画像、指紋などの特徴情報を取得することにより、閲覧ユーザに対し身分識別を行い、閲覧者が顔アルバムの作成者、つまり、顔アルバムの存在する端末デバイスの所有者でない場合には、当該閲覧者の人物顔画像の採集および各顔アルバムに対応する人物顔画像とのマッチング処理により、当該閲覧者がある顔アルバムに属する場合に、当該一致する顔アルバムの分類タグおよび閲覧される目標顔アルバムの分類タグに基づき、端末デバイスの所有者を媒介として、当該閲覧者と被閲覧者との人物関係を得ることができ、これにより人物関係に基づいた音楽の自動選択および再生を実現することができる。
【００１４】
第1の態様を実現する第２または第４の実施可能な形態に基づき、第1の態様の第６の実施可能な形態において、前記顔アルバムに基づく音楽再生方法は、
前記第２ユーザの人物顔画像と一致する顔アルバムが存在しない場合には、前記第２ユーザの人物特徴を取得するステップと、
前記人物特徴情報および前記第１ユーザと前記被閲覧者との人物関係に基づき、前記第２ユーザと前記被閲覧者との人物関係を特定するステップと、をさらに含み、
前記人物特徴情報は年齢層特徴情報および/または性別特徴情報を含む。
【００１５】
当該技術案は下記の有益な効果を含んでも良い。つまり、閲覧者が端末デバイスの所有者ではなく、かつ当該閲覧者が端末デバイスに保存されたある顔アルバムに属しない場合には、閲覧者の人物顔画像の特徴を取得することにより、取得した人物特徴情報および端末デバイスの所有者と被閲覧者との人物関係に基づき、端末デバイスの所有者を媒介とし、当該閲覧者と被閲覧者との人物関係を得ることができるため、人物関係に基づく音楽の自動選択および再生を実現することができる。
【００１６】
第1の態様の第７の実施可能な形態において、前記顔アルバムに基づく音楽再生方法は、
前記目標顔アルバム中のピクチャを撮影時間または保存時間の前後順位に従いソートするステップをさらに含む。
【００１７】
本発明の実施例の第２の態様によれば、顔アルバムに基づく音楽再生装置は、
ユーザが目標顔アルバム中のピクチャを閲覧するためにトリガーした閲覧指令を取得するための第１取得モジュールと、
前記ユーザの特徴情報を取得するための第２取得モジュールと、
前記ユーザの特徴情報に基づき前記ユーザと前記目標顔アルバム中のピクチャに対応する被閲覧者との人物関係を特定するための第１特定モジュールと、
あらかじめ設定された各人物関係と各音楽ジャンルとの対応関係に基づき、前記第１特定モジュールが特定した前記人物関係に対応する目標音楽ジャンルを特定するための第２特定モジュールと、
前記目標顔アルバム中のピクチャおよび前記第２特定モジュールが特定した前記目標音楽ジャンルに対応する音楽を再生するための再生モジュールと、を備える。
【００１８】
当該技術案は、下記の有益な効果を含んでも良い。つまり、ユーザがある顔アルバム中のピクチャを閲覧すべき時には、取得した当該ユーザの特徴情報に基づき当該ユーザと当該顔アルバムに対応する人物顔画像、つまり、被閲覧者との人物関係を特定することができる。これにより、当該人物関係に基づき、それに対応する音楽ジャンルに対応する音楽の自動選択および再生を実現することができる。ある顔アルバムを閲覧する時に、閲覧者と被閲覧者との人物関係に基づき、それに対応する音楽を自動選択および再生することができるため、ユーザの操作の煩雑さを低減し、ユーザの体験を向上させた。
【００１９】
第２の態様の第1の実施可能な形態において、前記第２取得モジュールは、
前記ユーザの指紋情報を取得するための第１取得サブモジュールを備え、
前記第１特定モジュールは、
前記第１取得サブモジュールが取得した前記指紋情報と予め設定された第１ユーザの指紋情報とをマッチングさせるための第１マッチングサブモジュールと、
前記指紋情報と前記第１ユーザの指紋情報とが一致する場合には、前記ユーザが第１ユーザであると特定し、かつ前記第１ユーザが前記目標顔アルバムのために設けた分類タグに基づき前記第１ユーザと前記目標顔アルバム中のピクチャに対応する被閲覧者との人物関係を特定するための第１特定サブモジュールと、
前記指紋情報と前記第１ユーザの指紋情報とが一致しない場合には、前記ユーザが第２ユーザであると特定し、前記第２ユーザと前記目標顔アルバム中のピクチャに対応する被閲覧者との人物関係を特定するための第２特定サブモジュールと、を備える。
【００２０】
第２の態様の第1の実施可能な形態に基づき、第２の態様の第２の実施可能な形態において、前記第２特定サブモジュールは、
前記第２ユーザの人物顔画像を取得するための第１取得手段と、
前記第２ユーザの人物顔画像と各顔アルバムに対応する人物顔画像とをマッチングさせるためのマッチング手段と、
前記第２ユーザの人物顔画像と一致する顔アルバムが存在する場合には、一致する顔アルバムの分類タグおよび前記目標顔アルバムの分類タグに基づき、前記第２ユーザと前記被閲覧者との人物関係を特定するための第１特定手段と、を備える。
【００２１】
第２の態様の第３の実施可能な形態において、前記第２取得モジュールは、
前記ユーザの人物顔画像を取得するため第２取得サブモジュールを備え、
前記第１特定モジュールは、
前記第２取得サブモジュールが取得した前記人物顔画像と予め設定されたの第１ユーザの人物顔画像とをマッチングさせる第２マッチングサブモジュールと、
前記人物顔画像と前記第１ユーザの人物顔画像とが一致する場合には、前記ユーザが第１ユーザであると特定し、かつ前記第１ユーザが前記目標顔アルバムのために設けた分類タグに基づき前記第１ユーザと前記目標顔アルバム中のピクチャに対応する被閲覧者との人物関係を特定するための前記第１特定サブモジュールと、
前記人物顔画像と前記第１ユーザの人物顔画像とが一致しない場合には、前記ユーザが第２ユーザであると特定し、前記第２ユーザと前記目標顔アルバム中のピクチャに対応する被閲覧者との人物関係を特定するための前記第２特定サブモジュールと、を備える。
【００２２】
第２の態様の第３の実施可能な形態に基づき、第２の態様の第４の実施可能な形態において、前記第２特定サブモジュールは、
前記第２ユーザの人物顔画像と各顔アルバムに対応する人物顔画像とをマッチングさせるためのマッチング手段と、
前記マッチング手段がマッチングにより前記第２ユーザの人物顔画像と一致する顔アルバムを得た場合には、一致する顔アルバムの分類タグおよび前記目標顔アルバムの分類タグに基づき、前記第２ユーザと前記被閲覧者との人物関係を特定するための第１特定手段と、を備える。
【００２３】
第２の態様を実現する第２または第４の実施可能な形態に基づき、第２の態様の第５の実施可能な形態において、前記第１特定手段は、
一致する顔アルバムの分類タグに基づき、前記第１ユーザと前記第２ユーザとの人物関係を特定するための第１特定ユニットと、
前記第１特定サブモジュールが特定した前記第１ユーザと前記被閲覧者との人物関係、および前記第１特定ユニットが特定した前記第１ユーザと前記第２ユーザとの人物関係に基づき、前記第２ユーザと前記被閲覧者との人物関係を特定するための第２特定ユニットと、を備える。
【００２４】
当該技術案は下記の有益な効果を含んでも良い。つまり、閲覧ユーザの人物顔画像、指紋などの特徴情報を取得することにより、閲覧ユーザに対し身分識別を行い、閲覧者が顔アルバムの作成者、つまり、顔アルバムの存在する端末デバイスの所有者でない場合には、当該閲覧者の人物顔画像の採集および各顔アルバムに対応する人物顔画像とのマッチング処理により、当該閲覧者がある顔アルバムに属する場合に、当該一致する顔アルバムの分類タグおよび閲覧される目標顔アルバムの分類タグに基づき、端末デバイスの所有者を媒介として、当該閲覧者と被閲覧者との人物関係を得ることができ、これにより人物関係に基づいた音楽の自動選択および再生を実現することができる。
【００２５】
第２の態様を実現する第２または第４の実施可能な形態に基づき、第２の態様の第６の実施可能な形態において、前記第２特定サブモジュールは、
前記マッチング手段が前記第２ユーザの人物顔画像と一致する顔アルバムをマッチングにより得られなかった場合には、前記第２ユーザの人物特徴情報を取得するための第２取得手段と、
前記第２取得手段が取得した前記人物特徴情報および前記第１特定サブモジュールが特定した前記第１ユーザと前記被閲覧者との人物関係に基づき、前記第２ユーザと前記被閲覧者との人物関係を特定するための第２特定手段と、をさらに備え、
前記人物特徴情報は年齢層特徴情報および/または性別特徴情報を含む。
【００２６】
当該技術案は下記の有益な効果を含んでも良い。つまり、閲覧者が端末デバイスの所有者ではなく、かつ当該閲覧者が端末デバイスに保存されたある顔アルバムに属しない場合には、閲覧者の人物顔画像の特徴を取得することにより、取得した人物特徴情報および端末デバイスの所有者と被閲覧者との人物関係に基づき、端末デバイスの所有者を媒介とし、当該閲覧者と被閲覧者との人物関係を得ることができるため、人物関係に基づく音楽の自動選択および再生を実現することができる。
【００２７】
第２の態様の第７の実施可能な形態において、前記顔アルバムに基づく音楽再生装置は、
前記目標顔アルバム中のピクチャを撮影および保存時間の前後順位に従いソートするためのソートモジュールをさらに備える。
【００２８】
本発明の実施例の第３の態様によれば、端末デバイスを提供し、当該端末デバイスは、
プロセッサと、
プロセッサの実行可能な指令を記憶するためのメモリと、を含み、
前記プロセッサは、
ユーザが目標顔アルバム中のピクチャを閲覧するためにトリガーした閲覧指令を取得し、
前記ユーザの特徴情報を取得し、
前記ユーザの特徴情報に基づき前記ユーザと前記目標顔アルバム中のピクチャに対応する被閲覧者との人物関係を特定し、
あらかじめ設定された各人物関係と各音楽ジャンルとの対応関係に基づき、前記人物関係に対応する目標音楽ジャンルを特定し、
前記目標顔アルバム中のピクチャおよび前記目標音楽ジャンルに対応する音楽を再生する。
【００２９】
上述した一般的な記述および後続する詳細な記述は、単に例示的および解釈的なものであり、本発明を制限できるものでないと理解されるべきである。
【図面の簡単な説明】
【００３０】
ここでの図面は、明細書を構成する一部として見なされ、本発明に適した実施例を示し、かつ、明細書の文字記載とともに本発明の仕組みを解釈するために用いられる
【図１】一実施例にかかる顔アルバムに基づく音楽再生方法の実施例１を示すフローチャートである。
【図２】一実施例にかかる顔アルバムに基づく音楽再生方法の実施例２を示すフローチャートである。
【図３】一実施例にかかる顔アルバムに基づく音楽再生方法の実施例３を示すフローチャートである。
【図４】一実施例にかかる顔アルバムに基づく音楽再生方法の実施４を示すフローチャートである。
【図５】一実施例にかかる顔アルバムに基づく音楽再生装置の実施例１を示すブロック図である。
【図６】一実施例にかかる顔アルバムに基づく音楽再生装置の実施例３を示すブロック図である。
【図７】一実施例にかかる顔アルバムに基づく音楽再生装置の実施例３を示すブロック図である。
【図８】一実施例にかかる顔アルバムに基づく音楽再生装置の実施例４を示すブロック図である。
【図９】一実施例にかかる端末デバイスを示すブロック図である。
【図１０】一実施例にかかる別の端末デバイスを示すブロック図である。
【００３１】
上記図面により、本発明の明確な実施例を示しており、後続する記述は更に詳細である。これらの図面および文字記載はいかなる形態で本発明の思想範囲を制限するためではなく、特定の実施例を照することにより当業者に本発明の概念を説明するためである。
【発明を実施するための形態】
【００３２】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置および方法の例に過ぎない。
【００３３】
図１は一実施例にかかる顔アルバムに基づく音楽再生方法の実施例１を示すフローチャートであり、当該方法は顔アルバムに基づく音楽再生装置が実行してもよい。当該顔アルバムに基づく音楽再生装置はアプリケーションＡＰＰであってもよく、端末デバイスであってもよい。図１に示すように、当該方法は下記のステップを含む。
【００３４】
ステップ１０１では、ユーザが目標顔アルバム中のピクチャを閲覧するためにトリガーした閲覧指令を取得する。
【００３５】
ステップ１０２では、ユーザの特徴情報を取得する。
【００３６】
ステップ１０３では、ユーザの特徴情報に基づき、ユーザと目標顔アルバム中のピクチャに対応する被閲覧者との人物関係を特定する。
【００３７】
ステップ１０４では、あらかじめ設定された各人物関係と各音楽ジャンルとの対応関係に基づき、ユーザと被閲覧者との人物関係に対応する目標音楽ジャンルを特定する。
【００３８】
ステップ１０５では、目標顔アルバム中のピクチャおよび目標音楽ジャンルに対応する音楽を再生する。
【００３９】
本実施例において、ある端末デバイス内の目標顔アルバム中のピクチャを閲覧する上記ユーザは当該端末の所有者である可能性もあり、当該端末デバイスの所有者でない可能性もあり、例えば所有者の親族である可能性もある。そこで、端末デバイスがユーザにより目標顔アルバム閲覧をクリックしてトリガーされた閲覧指令を取得した時に、当該ユーザの特徴情報の取得をトリガーする。
【００４０】
ただし、当該ユーザの特徴情報は、例えば、人物顔画像、指紋等のユーザの身分を識別するための特徴情報であってもよい。当該特徴情報に基づき当該ユーザ、すなわち閲覧者の身分を分かることができる。
【００４１】
これにより、当該ユーザの特徴情報に基づき、当該ユーザと目標顔アルバム中のピクチャに対応する被閲覧者との人物関係を特定することができる。簡単に例を挙げると、当該ユーザの特徴情報により、当該ユーザが端末デバイスの所有者である、または当該ユーザが端末デバイスの所有者でないと表明した時に、それぞれあらかじめ設定されたユーザの身分に基づき、つまり、端末デバイスの所有者であるかどうかおよび被閲覧者との人物関係に基づき、ユーザが端末デバイスの所有者である場合には、被閲覧者との関係はＡ種の人物関係に属し、ユーザが端末デバイスの所有者でない場合には、被閲覧者との関係はＢ種の人物関係に属すると大まかに認める。
【００４２】
さらに、あらかじめ設定された各種の人物関係に対応する音楽ジャンルに基づき、現在の閲覧ユーザと被閲覧者との人物関係に対応する音楽ジャンルを特定する。目標顔アルバム中のピクチャを再生するとともに、当該目標音楽ジャンルに対応する音楽を再生する。
【００４３】
本実施例では、ユーザがある顔アルバム中のピクチャを閲覧すべきである時には、当該ユーザの特徴情報に基づき当該ユーザと当該顔アルバムに対応する人物顔画像、つまり、被閲覧者との人物関係を特定することができる。これにより、当該人物関係に基づき、対応音楽ジャンルの音楽の自動選択および再生を実現することができる。ある顔アルバムを閲覧する時に、閲覧者と被閲覧者との人物関係に基づき、それに対応する音楽を自動選択および再生することができるため、ユーザの操作の煩雑さを低減し、ユーザの体験を向上させた。
【００４４】
前記実施例に記述した通りに、取得したユーザの特徴情報に基づき閲覧ユーザの身分を特定することができる。以下はユーザの特徴情報が人物顔画像であることを例にして、図２に示す実施例に合わせ、どのようにユーザの身分を特定し、およびどのようにユーザの身分に基づき被閲覧者との人物関係を特定するかを説明する。
【００４５】
図２は一実施例にかかる顔アルバムに基づく音楽再生方法の実施例３を示すフローチャートであり、図２に示すように、当該方法は下記ステップを含む。
【００４６】
ステップ２０１では、ユーザが目標顔アルバム中のピクチャを閲覧するためにトリガーした閲覧指令を取得する。
【００４７】
ステップ２０２では、ユーザの特徴情報を取得し、当該特徴情報はユーザの人物顔画像を含む。
【００４８】
ステップ２０３では、取得した人物顔画像と予め設定されたの第１ユーザの人物顔画像とをマッチングさせる。
【００４９】
ステップ２０４では、取得した人物顔画像と第１ユーザの人物顔画像とが一致する場合には、ユーザが第１ユーザであると特定し、第1ユーザが目標顔アルバムのために設けた分類タグに基づき第１ユーザと目標顔アルバム中のピクチャに対応する被閲覧者との人物関係を特定する。
【００５０】
ステップ２０５では、取得した人物顔画像と第１ユーザの人物顔画像とが一致しない場合には、ユーザが第２ユーザであると特定し、第２ユーザと目標顔アルバム中のピクチャに対応する被閲覧者との人物関係を特定する。
【００５１】
ステップ２０６では、あらかじめ設定された各人物関係と各音楽ジャンルとの対応関係に基づき、ユーザと被閲覧者との人物関係に対応する目標音楽ジャンルを特定する。
【００５２】
ステップ２０７では、目標顔アルバム中のピクチャおよび目標音楽ジャンルに対応する音楽を再生する。
【００５３】
本実施例では、第１ユーザとは、上記目標顔アルバムを含んだ複数の顔アルバムが保存された端末デバイスの所有者を指し、つまり、当該端末デバイスの所有者は閲覧者として、端末デバイスに保存された複数の顔アルバム中から閲覧したい目標顔アルバムを抽出し、端末デバイスに上記閲覧指令を出すようにトリガーすることができる。
【００５４】
ユーザが第１ユーザであるかどうかの身分識別の手順について、ユーザがトリガーした閲覧指令を受信してから、当該ユーザの人物顔画像を撮影して取得し、当該人物顔画像と端末デバイスにあらかじめ記憶された第１ユーザの人物顔画像とを特徴マッチングさせることにより、当該ユーザが第１ユーザであるかどうかを特定することができる。もし当該ユーザが第1ユーザでない場合には、当該ユーザが第２ユーザであると特定する。
【００５５】
ただし、取得した人物顔画像とあらかじめ設定された第１ユーザの人物顔画像とをマッチングさせる手順において、まず各人物顔画像の特徴点、例えば、輪郭、目、鼻、口、耳等の特徴点を抽出してもよい。さらに、撮影した人物顔画像の特徴点と第１ユーザの人物顔の特徴点とに対し類似度を測り、もし類似度が所定の閾値より大きい場合には、一致すると認め、ユーザが第１ユーザであると特定し、さもないと、第２ユーザであると認める。
【００５６】
上記は人物顔画像をユーザの特徴情報にし、第１ユーザと第２ユーザとを区別する根拠にしたが、好ましくは、さらにユーザの指紋情報をユーザの特徴情報にし、第１ユーザと第２ユーザとを区別する根拠にしてもよい。
【００５７】
具体的には、ユーザが閲覧指令をトリガーした後に、当該トリガー動作が目標顔アルバムをクリックすることにより出された動作である可能性があるため、ユーザのトリガー動作に基づき当該ユーザの指紋情報を採取することができる。さらに、得られた指紋情報と予め設定された第１ユーザの指紋情報とをマッチングさせ、当該指紋情報と第１ユーザの指紋情報とが一致する場合には、当該ユーザが第１ユーザであると特定し、かつ、第１ユーザが目標顔アルバムのために設けた分類タグに基づき第１ユーザと目標顔アルバム中のピクチャに対応する被閲覧者との人物関係を特定する。当該指紋情報と第１ユーザの指紋情報とが一致しない場合には、当該ユーザが第２ユーザであると特定し、第２ユーザと目標顔アルバム中のピクチャに対応する被閲覧者との人物関係を特定する。
【００５８】
本実施例では、ユーザが第１ユーザである場合に、どのように第１ユーザと被閲覧者との人物関係を特定するかに対して説明し、第２ユーザと被閲覧者との人物関係の特定については、後続する実施例で詳細に記述する。
【００５９】
端末デバイスに複数の顔アルバムを保存し、第１ユーザが各顔アルバムを作成するたびに、顔アルバムごとに分類タグを設けてもよく、当該タグは各顔アルバムの名称、例えば、子供、父母、妻等であってもよい。これにより、当該分類タグに基づき第１ユーザと顔アルバムに対応する被閲覧者との父子、夫婦等の人物関係を特定することができる。
【００６０】
無論、上記は非常に簡単で直観的な例に過ぎず、実際応用では、当該分類タグは複数次元の分類を示してもよい。例を挙げると、まず全ての顔アルバムを家族、友達、同僚により粗分類し、また各粗分類においてさらに細かい分類を行い、例えば、「家族」という粗分類において、「子供」、「父母」等の細分類を行い、「友達」という粗分類において、「張三」、「李四」等の名称で区別する細分類を行う。このように、各顔アルバムの分類タグは粗分類＋細分類の二つの主な次元で構成される。
【００６１】
第１ユーザがある顔アルバム中のピクチャの閲覧をトリガーした後に、当該目標顔アルバムの分類タグに基づき、当該第１ユーザと被閲覧者との人物関係を特定することができる。例えば、第１ユーザが「家族」―「わが息子」という分類タグの顔アルバムをクリックして閲覧する時に、当該分類タグに基づき第１ユーザと当該顔アルバム中の子供とは親子関係であると特定することができる。
【００６２】
本実施例では、各人物関係と各種の音楽ジャンルとの対応関係をあらかじめ設けてもよい。例えば、親子関係には軽快で純真な音楽ジャンルを対応させ、カップル関係には甘ったるいラブソングのような音楽ジャンルを対応させる。
【００６３】
これにより、第１ユーザと被閲覧者との人物関係を特定した後に、上記あらかじめ設定された対応関係に基づき、それに対応する目標音楽ジャンルをマッチングさせる。各種の音楽ジャンルに一曲の音楽のみバインディングされた場合には、目標顔アルバム中のピクチャを再生するとともに、直接当該音楽を再生することができる。無論、各種の音楽ジャンルに複数曲の音楽がバインディングされた場合には、あらかじめ設定された再生モード、例えば、シャッフル再生モード、リピート再生モードで音楽を選択し再生することができる。
【００６４】
本実施例では、第１ユーザが撮影したピクチャを顔アルバムに分類して保存し、かつ各顔アルバムに分類タグを設けた場合に、第１ユーザがある顔アルバム中のピクチャを閲覧すべき時に、当該分類タグに基づき当該第１ユーザと当該顔アルバムに対応する人物顔画像、つまり、被閲覧者との人物関係を特定することができる。これにより、当該人物関係に基づきそれに対応する音楽ジャンルの音楽の自動選択および再生を実現することができる。ある顔アルバムを閲覧する時に、閲覧者と被閲覧者との人物関係に基づきそれに対応する音楽を自動選択および再生することができるため、ユーザの操作の煩雑さを低減し、ユーザの体験を向上させた。
【００６５】
上記実施例に記述したように、第１ユーザとは上記目標顔アルバムを含んだ複数の顔アルバムを記憶している端末デバイスの所有者を指し、各顔アルバムの分類タグは当該第１ユーザが各顔アルバムに対応する人との人物関係により設けたものであるため、当該分類タグは第１ユーザと各顔アルバムに対応する人物との人物関係を表すことができる。しかし、閲覧者が当該第1ユーザでない場合には、当該分類タグは閲覧者と被閲覧者との人物関係を直接表すことができない。このような場合に基づき、以下の図３および図４に示す実施例を提供した。
【００６６】
図３および図４に示す実施例を具体的に紹介する前に、まず閲覧者が第１ユーザであるか、それとも第２ユーザであるかを区別する根拠を説明する。
【００６７】
前記実施例で記述したように、ユーザの特徴情報に基づきユーザが第１ユーザであるか、それとも第２ユーザであるかを識別することができる。好ましくは、実際応用において、以下の形態により第１ユーザ、第２ユーザの区別を実現してもよい。
【００６８】
顔アルバムの閲覧操作のインターフェースに、例えば、本人閲覧、他人閲覧、本人と他人と共同閲覧を含んだ閲覧者のオプションをもうけてもよい。これにより、もし、閲覧者が「本人閲覧」を選択した場合には、閲覧者が第１ユーザであることを示し、もし、閲覧者が「他人閲覧」を選択した場合には、閲覧者が第２ユーザであることを示し、もし閲覧者が「共同閲覧」を選択した場合には、閲覧者には第１ユーザがいる可能性があり、同時に第２ユーザもいる可能性もある。共同閲覧の場合については、第２ユーザ閲覧の場合の処理と似ていて、以下に説明する。
【００６９】
図３は一実施例にかかる顔アルバムに基づく音楽再生方法の実施例３を示すフローチャートであり、図３に示すように、上記ステップ２０５における第２ユーザと目標顔アルバム中のピクチャに対応する被閲覧者との人物関係を特定する方法を以下の形態により実現してもよい。
【００７０】
ステップ３０１では、ユーザが第２ユーザであると特定した時に、第２ユーザの人物顔画像と各顔アルバムに対応する人物顔画像とをマッチングさせる。
【００７１】
ステップ３０２では、第２ユーザの人物顔画像と一致する顔アルバムが存在する場合には、一致する顔アルバムの分類タグおよび目標顔アルバムの分類タグに基づき、第２ユーザと目標顔アルバムに対応する被閲覧者との人物関係を特定する。
【００７２】
本実施例では、閲覧者は端末デバイスの所有者、つまり、第１ユーザのみではなく、第２ユーザである場合には、上記第２ユーザの人物顔画像は、人物顔画像をユーザの特徴情報としてユーザの身分を識別する手順から取得したものであってもよい。しかし、指紋情報をユーザの特徴情報としてユーザを識別する手順では、現在ユーザが第２ユーザであると特定してから、端末デバイスをトリガーし当該第２ユーザの人物顔画像を撮影する際に得られるものであってもよい。例えば、端末デバイスのフロントカメラで撮影してもよい。
【００７３】
特に、閲覧者が数人を含む場合、つまり、上記共同閲覧に対応する場合には、撮影したピクチャの中に数人の人物顔画像が含まれいて、人物顔識別技術、例えばＡｄａｂｏｏｓｔ技術により、人物顔識別処理を行い、各人の人物顔画像を得ることができる。
【００７４】
さらに、得られた第２ユーザの人物顔画像と各顔アルバムに対応する人物顔画像とをマッチングさせ、つまり、類似度を測る。マッチングの順において、まず各人物顔画像の特徴点、例えば、輪郭、目、鼻、口、耳等の特徴点を抽出してもよい。さらに、撮影した人物顔画像の特徴点と各顔アルバムに対応する人物顔画像の特徴点に対して類似度を測り、もし類似度が所定の閾値より大きければ、一致すると認める。
【００７５】
特に、各顔アルバムに対応する人物顔画像の特徴点を、あらかじめ抽出かつ記憶してもよい。上記マッチング処理を行う必要がある時に、撮影した人物顔画像の特徴点をリアルタイムに抽出するだけでよいため、マッチング処理の効率を向上させることができる。
【００７６】
第２ユーザの人物顔画像がある顔アルバムにマッチングされた時に、当該第２ユーザの顔アルバムが第１ユーザの端末デバイスにも保存されていることを説明するため、当該マッチングして得られた顔アルバムは第１ユーザが設けた分類タグも有する。これにより、当該分類タグおよび被閲覧者の目標顔アルバムの分類タグを組み合わせて、第２ユーザと被閲覧者との人物関係を特定することができる。
【００７７】
具体的には、第１ユーザと被閲覧者との人物関係を特定する方法と似ていて、一致する顔アルバムの分類タグに基づき、第1ユーザと第２ユーザとの人物関係を特定することができ、さらに、第1ユーザと被閲覧者との人物関係、および第１ユーザと第２ユーザとの人物関係に基づき、第２ユーザと被閲覧者との人物関係を特定することができる。
【００７８】
例を挙げると、閲覧者をＢとし、かつＢを第２ユーザとし、第1ユーザをＡとし、被閲覧者をＣとする。ただし、もし第１ユーザＡが被閲覧者Ｃに対応する目標顔アルバムのために設けた分類タグが「子供」である場合には、第１ユーザと被閲覧者Ｃとの人物関係が親子関係であり、もし人物顔画像のマッチング処理により、第２ユーザＢがタグ「友達−張三」の顔アルバムに対応する場合には、第１ユーザＡと第２ユーザＢとの人物関係が友達関係であると特定する。これにより、第２ユーザＢと被閲覧者Ｃとの人物関係が目上目下関係であると特定することができる。
【００７９】
好ましくは、本実施例では、図２に示す実施例に加えて、ステップ２０７の前に、さらに以下のステップを含んでもよい。
【００８０】
ステップ３０３では、目標顔アルバムを撮影または保存した時間の前後順位従って、ソートする。
【００８１】
本実施例では、閲覧者が目標顔アルバム中のピクチャを閲覧する時に、スライドショーの形態で再生してもよく、ピクチャを再生する前後の順位は、ピクチャの撮影時間の前後順位に従い決めてもよく、または、ピクチャを目標顔アルバムに保存した時間の前後順位に従い決めてもよい。
【００８２】
それ相応に、ステップ２０７の再生手順は以下の通りである。
【００８３】
ステップ３０４では、順位に従い目標顔アルバム中のピクチャを再生し、かつ目標音楽ジャンルに対応する音楽を再生する。
【００８４】
本実施例では、閲覧者が顔アルバムの作成者、つまり、顔アルバムの存在する端末デバイスの所有者でない場合には、当該閲覧者の人物顔画像の採集および各顔アルバムに対応する人物顔画像とのマッチング処理により、当該閲覧者がある顔アルバムに属する場合に、当該一致する顔アルバムの分類タグおよび閲覧される目標顔アルバムの分類タグに基づき、端末デバイスの所有者を媒介として、当該閲覧者と被閲覧者との人物関係を得ることができ、これにより人物関係に基づいた音楽の自動選択および再生を実現することができる。
【００８５】
図４は一実施例にかかる顔アルバムに基づく音楽再生方法の実施例４を示すフローチャートであり、図４に示すように、上記ステップ３０１の後に、当該方法は以下のステップを含んでもよい。
【００８６】
ステップ４０１では、第２ユーザの人物顔画像と一致する顔アルバムが存在しない場合には、第２ユーザの人物特徴情報を取得する。
【００８７】
ステップ４０２では、人物特徴情報および第１ユーザと被閲覧者との人物関係に基づき、第２ユーザと被閲覧者との人物関係を特定する。
【００８８】
ステップ４０２の後に、後続する関連ステップを実行する。
【００８９】
第２ユーザの人物顔画像と各顔アルバムに対応する人物顔画像との特徴を対照し、一致する顔アルバムが見つからない場合には、当該第２ユーザの人物顔画像の特定特徴点を抽出することにより、当該第２ユーザの人物特徴情報、例えば、性別、年齢層等を得ることができる。ただし、上記特定特徴点とは、例えば、髪、首、目じり、鼻と口との間の区域等を指す。
【００９０】
本実施例では、あらかじめ大量の人物顔画像を統計分析することにより、上記特定の特徴点と性別、年齢層等の人物特徴情報との対応関係を得てもよい。
【００９１】
第２ユーザの人物特徴情報に基づき当該第２ユーザが５０〜６０代年齢層内の女性であると特定し、目標顔アルバムの分類タグに基づき特定した第１ユーザと被閲覧者との人物関係が親子関係であるとすると、第２ユーザと被閲覧者との人物関係が目上目下関係であると認めてもよい。
【００９２】
なお、本実施例では、人物関係の特定結果の正確率を確保するために、端末デバイスに第1ユーザの人物特徴情報、例えば、性別、年齢をあらかじめ記憶してもよい。これにより、第２ユーザの人物特徴情報、第1ユーザの人物特徴情報および第1ユーザと被閲覧者との人物関係を組み合わせて第２ユーザと被閲覧者との人物関係を特定することができる。
【００９３】
または、被閲覧者、つまり各顔アルバムに対応する人物顔画像の人物特徴情報をさらにあらかじめ記憶してもよい。これにより、第２ユーザの人物特徴情報、被閲覧者の人物特徴情報および第１ユーザと被閲覧者との人物関係を組み合わせて第２ユーザと被閲覧者との人物関係を特定することができる。
【００９４】
例を挙げると、第２ユーザの人物特徴情報に基づき当該第２ユーザが２０〜２５代年齢層内の女性であると特定し、あらかじめの第１ユーザの人物特徴情報は第１ユーザが２３歳の女性であると示し、目標顔アルバムの分類タグに基づき特定した第１ユーザと被閲覧者との人物関係が夫婦関係であるとすると、第２ユーザと被閲覧者との人物関係が友達であると認めてもよい。
【００９５】
さらに例を挙げると、第２ユーザの人物特徴情報に基づき当該第２ユーザが２０〜２５代年齢層内の女性であると特定し、あらかじめの被閲覧者の人物特徴情報は被閲覧者が２３歳の女性であると示し、目標顔アルバムの分類タグに基づき特定した第１ユーザと被閲覧者との人物関係が夫婦関係であるとすると、第２ユーザと被閲覧者との人物関係は友達関係であると認める。
【００９６】
本実施例では、閲覧者が端末デバイスの所有者ではなく、かつ当該閲覧者が端末デバイスに保存されたある顔アルバムに属しない場合には、閲覧者の人物顔画像の特徴を取得することにより、取得した人物特徴情報および端末デバイスの所有者と被閲覧者との人物関係に基づき、端末デバイスの所有者を媒介とし、当該閲覧者と被閲覧者との人物関係を得ることができるため、人物関係に基づく音楽の自動選択および再生を実現することができる。
【００９７】
図５は一実施例にかかる顔アルバムに基づく音楽再生装置の実施例１を示すブロック図であり、図５に示すように、当該装置は第１取得モジュール１１、第２取得モジュール１２、第1特定モジュール１３、第２特定モジュール１４、再生モジュール１５を備える。
【００９８】
第１取得モジュール１１は、ユーザが目標顔アルバム中のピクチャを閲覧するためにトリガーした閲覧指令を取得するように構成される。
【００９９】
第２取得モジュール１２は、前記ユーザの特徴情報を取得するように構成される。
【０１００】
第1特定モジュール１３は、前記ユーザの特徴情報に基づき前記ユーザと前記目標顔アルバム中のピクチャに対応する被閲覧者との人物関係を特定するように構成される。
【０１０１】
第２特定モジュール１４は、あらかじめ設定された各人物関係と各音楽ジャンルとの対応関係に基づき、前記第１特定モジュールが特定した前記人物関係に対応する目標音楽ジャンルを特定するように構成される。
【０１０２】
再生モジュール１５は、前記目標顔アルバム中のピクチャおよび前記第２特定モジュールが特定した前記目標音楽ジャンルに対応する音楽を再生するように構成される。
【０１０３】
本実施例にかかる音楽再生装置は、図１に示す方法の実施例の技術案を実施するために用いてもよい。
【０１０４】
本実施例では、ある端末デバイス中の目標顔アルバム中のピクチャを閲覧する上記ユーザは当該端末デバイスの所有者である可能性もあり、当該端末デバイスの所有者でない可能性もあり、例えば、所有者の親族である可能性もある。そこで、第１取得モジュール１１がユーザにより目標顔アルバムを閲覧する時にトリガーされた閲覧指令を取得した時に、第２取得モジュール１２をトリガーして当該ユーザの特徴情報を取得するようにする。
【０１０５】
ただし、当該ユーザの特徴情報は、例えば、人物顔画像、指紋等のユーザの身分を識別するための特徴情報であってもよい。当該特徴情報に基づき、当該ユーザ、つまり、閲覧者の身分を分かることができる。
【０１０６】
これにより、第１特定モジュール１３は当該ユーザの特徴情報に基づき当該ユーザと目標顔アルバム中のピクチャに対応する被閲覧者との人物関係を特定することができる。簡単に例を挙げると、当該ユーザの特徴情報が当該ユーザは端末デバイスの所有者であり、または、当該ユーザは端末デバイスの所有者でないと示した場合、それぞれあらかじめ設定されたユーザの身分、つまり、端末デバイスの所有者であるかどうかおよび被閲覧者との人物関係に基づき、ユーザが端末デバイスの所有者である場合には、被閲覧者とはＡ種の人物関係であり、ユーザが端末デバイスの所有者でない場合には、被閲覧者とはＢ種の人物関係であると大まかに考える。
【０１０７】
さらに、第２特定モジュール１４はあらかじめ設定された各人物関係に対応する音楽ジャンルに基づき、現在閲覧のユーザと被閲覧者との人物関係にに対応する目標音楽ジャンルを特定する。再生モジュール１５は目標顔アルバム中のピクチャを再生するとともに、当該目標音楽ジャンルに対応する音楽を再生する。
【０１０８】
本実施例では、ユーザがある顔アルバム中のピクチャを閲覧すべき時には、当該ユーザの特徴情報に基づき当該ユーザと当該顔アルバムに対応する人物顔画像、つまり、被閲覧者との人物関係を特定することができる。これにより、当該人物関係に基づきそれに対応する音楽ジャンルの音楽の自動選択および再生を実現することができる。ある顔アルバムを閲覧する時に、閲覧者と被閲覧者との人物関係に基づきそれに対応する音楽を自動選択および再生することができるため、ユーザの操作の煩雑さを低減し、ユーザの体験を向上させた。
【０１０９】
図６は一実施例にかかる顔アルバムに基づく音楽再生装置の実施例２を示すブロック図であり、図６に示すように、図５に示す実施例に加えて、前記第２取得モジュール１２は、第１取得サブモジュール１２１または第２取得サブモジュール１２２を備える。
【０１１０】
第１取得サブモジュール１２１は、前記ユーザの指紋を取得するように構成される。
【０１１１】
第２取得サブモジュール１２２は、前記ユーザの人物顔画像を取得するように構成される。
【０１１２】
好ましくは、前記第１特定モジュール１３は、第１マッチングサブモジュール１３１および第１特定サブモジュール１３２または第２特定サブモジュール１３３を備える。
【０１１３】
第１マッチングサブモジュール１３１は、前記第1取得サブモジュール１２１が取得した前記指紋情報と予め設定された第１ユーザの指紋情報とをマッチングさせるように構成される。
【０１１４】
第１特定サブモジュール１３２は、前記指紋情報と前記第１ユーザの指紋情報とが一致する場合には、前記ユーザが第１ユーザであると特定し、かつ前記第１ユーザが前記目標顔アルバムのために設けた分類タグに基づき前記第１ユーザと前記目標顔アルバム中のピクチャに対応する被閲覧者との人物関係を特定するように構成される。
【０１１５】
第２特定サブモジュール１３３は、前記指紋情報と前記第１ユーザの指紋情報が一致しない場合には、前記ユーザが第２ユーザであると特定し、前記第２ユーザと前記目標顔アルバム中のピクチャに対応する被閲覧者との人物関係を特定するように構成される。
【０１１６】
好ましくは、前記第１特定モジュール１３は、第２マッチングサブモジュール１３４および第１特定サブモジュール１３１または第２特定サブモジュール１３２を備える。
【０１１７】
第２マッチングサブモジュール１３４は、前記第２取得サブモジュール１２２が取得した前記人物顔画像と予め設定されたの第１ユーザの人物顔画像とをマッチングさせるように構成される。
【０１１８】
前記第１特定サブモジュール１３１は、前記人物顔画像と前記第１ユーザの人物顔画像が一致する場合には、前記ユーザが第１ユーザであると特定し、かつ前記第１ユーザが前記目標顔アルバムのために設けた分類タグに基づき前記第１ユーザと前記目標顔アルバム中のピクチャに対応する被閲覧者との人物関係を特定するように構成される。
【０１１９】
前記第２特定サブモジュール１３２は、前記人物顔画像と前記第１ユーザの人物顔画像とが一致しない場合には、前記ユーザが第２ユーザであると特定し、前記第２ユーザと前記目標顔アルバム中のピクチャに対応する被閲覧者との人物関係を特定するように構成される。
【０１２０】
本実施例にかかる顔アルバムに基づく音楽再生装置は図２に示す方法の実施例の技術案を実施するために用いてもよい。
【０１２１】
本実施例では、第１ユーザとは、上記目標顔アルバムを含んだ複数の顔アルバムが保存された端末デバイスの所有者を指し、つまり、当該端末デバイスの所有者は閲覧者として、端末デバイスに保存した複数の顔アルバム中から閲覧したい目標顔アルバムを抽出し、端末デバイスに上記閲覧指令を出すようにトリガーすることができる。
【０１２２】
ユーザが第１ユーザであるかどうかの身分識別の手順について、ユーザがトリガーした閲覧指令を受信してから、第２取得サブモジュール１２２は撮影により当該ユーザの人物顔画像を取得し、第２マッチングサブモジュール１３４は当該人物顔画像と端末デバイスにあらかじめ記憶された第１ユーザの人物顔画像とを特徴マッチングさせることにより、当該ユーザが第１ユーザであるかどうかを特定することができる。もし当該ユーザが第1ユーザでない場合には、当該ユーザが第２ユーザであると特定する。
【０１２３】
ただし、第２マッチングサブモジュール１３４は取得した人物顔画像と予め設定されたの第１ユーザの人物顔画像とをマッチングさせる手順において、まず各人物顔画像の特徴点、例えば、輪郭、目、鼻、口、耳等の特徴点を抽出してもよい。さらに、撮影した人物顔画像の特徴点と第１ユーザの人物顔画像の特徴点とに対し類似度を測り、もし類似度が所定の閾値より大きい場合には、一致すると認め、第１特定サブモジュール１３２はユーザが第１ユーザであると特定し、さもないと、第２特定サブモジュール１３３は第２ユーザであると認める。
【０１２４】
上記は人物顔画像をユーザの特徴情報にし、第１ユーザと第２ユーザとを区別する根拠にしたが、好ましくは、さらにユーザの指紋情報をユーザの特徴情報にし、第１ユーザと第２ユーザとを区別する根拠にしてもよい。
【０１２５】
具体的には、ユーザが閲覧指令をトリガーした後に、当該トリガー動作が目標顔アルバムをクリックすることにより出されたものである可能性があるため、第１取得サブモジュール１２１はユーザのトリガー動作に基づき当該ユーザの指紋情報を採取することができる。さらに、第１マッチングサブモジュール１３１は得られた指紋情報と予め設定されたの第１ユーザの指紋情報とをマッチングさせ、当該指紋情報と第１ユーザの指紋情報とが一致する場合には、第１特定サブモジュール１３２は当該ユーザが第１ユーザであると特定し、かつ、第１ユーザが目標顔アルバムのために設けた分類タグに基づき第１ユーザと目標顔アルバム中のピクチャに対応する被閲覧者との人物関係を特定する。当該指紋情報と第１ユーザの指紋情報とが一致しない場合には、当該ユーザが第２ユーザであると特定し、第２ユーザと目標顔アルバム中のピクチャに対応する被閲覧者との人物関係を特定する。
【０１２６】
本実施例では、ユーザが第１ユーザである場合に、どのように第１ユーザと被閲覧者との人物関係を特定するかに対して詳細に説明し、第２ユーザと被閲覧者との人物関係については、後続する実施例で詳細に記述する。
【０１２７】
端末デバイスに複数の顔アルバムを保存し、第１ユーザが各顔アルバムを作成するたびに、顔アルバムごとに分類タグを設けてもよく、当該タグは各顔アルバムの名称、例えば、子供、父母、妻等であってもよい。これにより、当該分類タグに基づき第１ユーザと顔アルバムに対応する被閲覧者との父子、夫婦等の人物関係を特定することができる。
【０１２８】
無論、上記は非常に簡単で直観的な例に過ぎず、実際応用では、当該分類タグは複数次元の分類を示してもよい。例を挙げると、まず全ての顔アルバムを家族、友達、同僚により粗分類し、また各粗分類においてさらに細かい分類を行い、例えば、「家族」という粗分類において、「子供」、「父母」等の細分類を行い、「友達」という粗分類において、「張三」、「李四」等の名称で区別する細分類を行う。このように、各顔アルバムの分類タグは粗分類＋細分類の二つの主な次元で構成される。
【０１２９】
第１ユーザがある顔アルバム中のピクチャの閲覧をトリガーした後に、当該目標顔アルバムの分類タグに基づき、当該第１ユーザと被閲覧者との人物関係を特定することができる。例えば、第１ユーザが「家族」―「わが息子」という分類タグの顔アルバムをクリックして閲覧する時に、当該分類タグに基づき第１ユーザと当該顔アルバム中の子供とは親子関係であると特定することができる。
【０１３０】
本実施例では、各人物関係と各種の音楽ジャンルとの対応関係をあらかじめ設けてもよい。例えば、親子関係には軽快で純真な音楽ジャンルを対応させ、カップル関係には甘ったるいラブソングのような音楽ジャンルを対応させる。
【０１３１】
これにより、第１ユーザと被閲覧者との人物関係を特定した後に、上記あらかじめ設定された対応関係に基づき、それに対応する目標音楽ジャンルをマッチングさせる。各種の音楽ジャンルに一曲の音楽のみバインディングされた場合には、目標顔アルバム中のピクチャを再生するとともに、直接当該音楽を再生することができる。無論、各種の音楽ジャンルに複数曲の音楽がバインディングされた場合には、あらかじめ設定された再生モード、例えば、シャッフル再生モード、リピート再生モードで音楽を選択し再生することができる。
【０１３２】
本実施例では、第１ユーザが撮影したピクチャを顔アルバムに分類して保存し、かつ各顔アルバムに分類タグを設けた場合に、第１ユーザがある顔アルバム中のピクチャを閲覧すべき時に、当該分類タグに基づき当該第１ユーザと当該顔アルバムに対応する人物顔画像、つまり、被閲覧者との人物関係を特定することができる。これにより、当該人物関係に基づきそれに対応する音楽ジャンルの音楽の自動選択および再生を実現することができる。ある顔アルバムを閲覧する時に、閲覧者と被閲覧者との人物関係に基づきそれに対応する音楽を自動選択および再生することができるため、ユーザの操作の煩雑さを低減し、ユーザの体験を向上させた。
【０１３３】
図７は一実施例にかかる顔アルバムに基づく音楽再生装置の実施例３を示すブロック図であり、図７に示すように、上記図６に示す実施例に加えて、
上記第２特定サブモジュール１３３は、第１取得手段１３３０、マッチング手段１３３１、第１特定手段１３３２を備える。
【０１３４】
第１取得手段１３３０は、前記第２ユーザの人物顔画像を取得するように構成される。
【０１３５】
マッチング手段１３３１は、前記第２ユーザの人物顔画像と各顔アルバムに対応する人物顔画像とをマッチングさせるように構成される。
【０１３６】
第１特定手段１３３２は、前記マッチング手段１３３１がマッチングにより前記第２ユーザの人物顔画像と一致する顔アルバムを得た場合には、一致する顔アルバムの分類タグおよび前記目標顔アルバムの分類タグに基づき、前記第２ユーザと前記被閲覧者との人物関係を特定するように構成される。
【０１３７】
ただし、前記第１特定手段１３３２は、第１特定ユニット１３３２１、第２特定ユニット１３３２２を含む。
【０１３８】
第１特定ユニット１３３２１は、一致した顔アルバムの分類タグに基づき、前記第１ユーザと前記第２ユーザとの人物関係を特定するように構成される。
【０１３９】
第２特定ユニット１３３２２は、前記第１特定サブモジュール１３２が特定した前記第１ユーザと前記被閲覧者との人物関係、および前記第１特定サブユニット１３３２１が特定した前記第１ユーザと前記第２ユーザとの人物関係に基づき、前記第２ユーザと前記被閲覧者との人物関係を特定するように構成される。
【０１４０】
好ましくは、当該顔アルバムに基づく音楽再生装置は、ソートモジュール２２をさらに備える。
【０１４１】
ソートモジュール２２は前記目標顔アルバム中のピクチャを撮影または保存した時間の前後順位に従いソートするように構成される。
【０１４２】
本実施例にかかる顔アルバムに基づく音楽再生装置は図３に示す方法の実施例の技術案の実施に用いてもよい。
【０１４３】
本実施例では、閲覧者が端末デバイスの所有者、つまり、第１ユーザのみではなく、第２ユーザである場合には、上記第２ユーザの人物顔画像は、人物顔画像をユーザの特徴情報としてユーザの身分を識別する手順から取得したものであってもよい。しかし、指紋情報をユーザの特徴情報としてユーザを識別する手順では、現在ユーザが第２ユーザであると特定してから、第１取得手段１３３０をトリガーして当該第２ユーザの人物顔画像を撮影する際に得られるものであってもよい。例えば、端末デバイスのフロントカメラで撮影してもよい。
【０１４４】
特に、閲覧者が数人を含む場合、つまり、上記共同閲覧に対応する場合には、撮影したピクチャの中に数人の人物顔画像が含まれいて、人物顔識別技術、例えばＡｄａｂｏｏｓｔ技術により、人物顔識別処理を行い、各人の人物顔画像を得ることができる。
【０１４５】
さらに、得られた第２ユーザの人物顔画像と各顔アルバムに対応する人物顔画像とをマッチングさせ、つまり、類似度を測る。マッチングの順において、まず各人物顔画像の特徴点、例えば、輪郭、目、鼻、口、耳等の特徴点を抽出してもよい。さらに、撮影した人物顔画像の特徴点と各顔アルバムに対応する人物顔画像の特徴点に対して類似度を測り、もし類似度が所定の閾値より大きければ、一致すると認める。
【０１４６】
特に、各顔アルバムに対応する人物顔画像の特徴点を、あらかじめ抽出かつ記憶してもよい。上記マッチング処理を行う必要がある時に、撮影した人物顔画像の特徴点をリアルタイムに抽出するだけでよいため、マッチング処理の効率を向上させることができる。
【０１４７】
第２ユーザの人物顔画像がある顔アルバムにマッチングされた時に、当該第２ユーザの顔アルバムが第１ユーザの端末デバイスにも保存されていることを説明するため、当該マッチングして得られた顔アルバムは第１ユーザが設けた分類タグも有する。これにより、第１特定手段１３３２は当該分類タグおよび被閲覧者の目標顔アルバムの分類タグを組み合わせて、第２ユーザと被閲覧者との人物関係を特定することができる。
【０１４８】
具体的には、第１ユーザと被閲覧者との人物関係を特定する方法と似ていて、第１特定ユニット１３３２１は一致する顔アルバムの分類タグに基づき、第1ユーザと第２ユーザとの人物関係を特定することができ、さらに、第２特定ユニット１３３２２は第1ユーザと被閲覧者との人物関係、および第１ユーザと第２ユーザとの人物関係に基づき、第２ユーザと被閲覧者との人物関係を特定することができる。
【０１４９】
例を挙げると、閲覧者をＢとし、かつＢを第２ユーザとし、第1ユーザをＡとし、被閲覧者をＣとする。ただし、もし第１ユーザＡが被閲覧者Ｃに対応する目標顔アルバムのために設けた分類タグが「子供」である場合には、第１ユーザと被閲覧者Ｃとの人物関係が親子関係であり、もし人物顔画像のマッチング処理により、第２ユーザＢがタグ「友達−張三」の顔アルバムに対応する場合には、第１ユーザＡと第２ユーザＢとの人物関係が友達関係であると特定する。これにより、第２ユーザＢと被閲覧者Ｃとの人物関係が目上目下関係であると特定することができる。
【０１５０】
本実施例では、閲覧者が目標顔アルバム中のピクチャを閲覧する時に、スライドショーの形態で再生してもよく、ピクチャを再生する前後の順位は、ソートモジュール２２がピクチャの撮影時間の前後順位に従い決めてもよく、または、ピクチャを目標顔アルバムに保存した時間の前後順位に従い決めてもよい。
【０１５１】
本実施例では、閲覧者が顔アルバムの作成者、つまり、顔アルバムの存在する端末デバイスの所有者でない場合には、当該閲覧者の人物顔画像の採集および各顔アルバムに対応する人物顔画像とのマッチング処理により、当該閲覧者がある顔アルバムに属する場合に、当該一致する顔アルバムの分類タグおよび閲覧される目標顔アルバムの分類タグに基づき、端末デバイスの所有者を媒介として、当該閲覧者と被閲覧者との人物関係を得ることができ、これにより人物関係に基づいた音楽の自動選択および再生を実現することができる。
【０１５２】
図８は一実施例にかかる顔アルバムに基づく音楽再生装置の実施例３を示すブロック図であり、図８に示すように、上記図６に示す実施例に加えて、前記第２特定サブモジュール１３３は、取得手段１３３３、第２特定手段１３３４を備える。
【０１５３】
取得手段１３３３は、前記マッチング手段が前記第２ユーザの人物顔画像と一致する顔アルバムをマッチングにより得られなかった場合には、前記第２ユーザの人物特徴情報を取得するように構成される。
【０１５４】
第２特定手段１３３４は、前記取得手段が取得した前記人物特徴情報および前記第１特定サブモジュールが特定した前記第１ユーザと前記被閲覧者との人物関係に基づき、前記第２ユーザと前記被閲覧者との人物関係を特定し、前記人物特徴情報は年齢層特徴情報および/または性別特徴情報を含む。
【０１５５】
本実施例にかかる顔アルバムに基づく音楽再生装置は図４に示す方法の実施例の技術案の実行し用いてもよい。
【０１５６】
第２ユーザの人物顔画像と各顔アルバムに対応する人物顔画像との特徴を対照し、一致する顔アルバムが見つからない場合には、取得手段１３３３は当該第２ユーザの人物顔画像の特定特徴点を抽出することにより、当該第２ユーザの人物特徴情報、例えば、性別、年齢層等を得ることができる。ただし、上記特定特徴点とは、例えば、髪、首、目じり、鼻と口との間の区域等を指す。
【０１５７】
本実施例では、あらかじめ大量の人物顔画像を統計分析することにより、上記特定の特徴点と性別、年齢層等の人物特徴情報との対応関係を得てもよい。
【０１５８】
第２ユーザの人物特徴情報に基づき当該第２ユーザが５０〜６０代年齢層内の女性であると特定し、目標顔アルバムの分類タグに基づき特定した第１ユーザと被閲覧者との人物関係が親子関係であるとすると、第２特定手段１３３４は第２ユーザと被閲覧者との人物関係が目上目下関係であると認めてもよい。
【０１５９】
なお、本実施例では、人物関係の特定結果の正確率を確保するために、端末デバイスに第1ユーザの人物特徴情報、例えば、性別、年齢をあらかじめ記憶してもよい。これにより、第２ユーザの人物特徴情報、第1ユーザの人物特徴情報および第1ユーザと被閲覧者との人物関係を組み合わせて第２ユーザと被閲覧者との人物関係を特定することができる。
【０１６０】
または、被閲覧者、つまり各顔アルバムに対応する人物顔画像の人物特徴情報をさらにあらかじめ記憶してもよい。これにより、第２特定手段１３２４は第２ユーザの人物特徴情報、被閲覧者の人物特徴情報および第１ユーザと被閲覧者との人物関係を組み合わせて第２ユーザと被閲覧者との人物関係を特定することができる。
【０１６１】
例を挙げると、第２ユーザの人物特徴情報に基づき当該第２ユーザが２０〜２５代年齢層内の女性であると特定し、あらかじめの第１ユーザの人物特徴情報は第１ユーザが２３歳の女性であると示し、目標顔アルバムの分類タグに基づき特定した第１ユーザと被閲覧者との人物関係が夫婦関係であるとすると、第２ユーザと被閲覧者との人物関係が友達であると認めてもよい。
【０１６２】
さらに例を挙げると、第２ユーザの人物特徴情報に基づき当該第２ユーザが２０〜２５代年齢層内の女性であると特定し、あらかじめの被閲覧者の人物特徴情報は被閲覧者が２３歳の女性であると示し、目標顔アルバムの分類タグに基づき特定した第１ユーザと被閲覧者との人物関係が夫婦関係であるとすると、第２ユーザと被閲覧者との人物関係は友達関係であると認める。
【０１６３】
本実施例では、閲覧者が端末デバイスの所有者ではなく、かつ当該閲覧者が端末デバイスに保存されたある顔アルバムに属しない場合には、閲覧者の人物顔画像の特徴を取得することにより、取得した人物特徴情報および端末デバイスの所有者と被閲覧者との人物関係に基づき、端末デバイスの所有者を媒介とし、当該閲覧者と被閲覧者との人物関係を得ることができるため、人物関係に基づく音楽の自動選択および再生を実現することができる。
【０１６４】
上記実施例中の顔アルバムに基づく音楽再生装置については、そのうちの各モジュール、サブモジュールが操作を実行する具体的な形態は当該方法に関する実施例において詳細に説明したため、ここで繰り返し説明しない。
【０１６５】
以上は顔アルバムに基づく音楽再生装置の内部機能および構成を記述した。図９に示すように、実際において、当該顔アルバムに基づく音楽再生装置は端末デバイスに実現されてもよい。前記端末デバイスは、
プロセッサと、
プロセッサの実行可能な指令を記憶するためのメモリと、を含み、
ただし、前記プロセッサは、
ユーザが目標顔アルバム中のピクチャを閲覧するためにトリガーした閲覧指令を取得し、
前記ユーザの特徴情報を取得し、
前記ユーザの特徴情報に基づき前記ユーザと前記目標顔アルバム中のピクチャに対応する被閲覧者との人物関係を特定し、
あらかじめ設定された各人物関係と各音楽ジャンルとの対応関係に基づき、前記人物関係に対応する目標音楽ジャンルを特定し、
前記目標顔アルバム中のピクチャおよび前記目標音楽ジャンルに対応する音楽を再生するように構成される。
【０１６６】
本実施例では、当該ユーザがある顔アルバム中のピクチャを閲覧すべき時には、当該ユーザの特徴情報に基づき当該ユーザと当該顔アルバムに対応する人物顔画像、つまり、被閲覧者との人物関係を特定することができる。これにより、当該人物関係に基づき、それに対応する音楽ジャンルに対応する音楽の自動選択および再生を実現することができる。ある顔アルバムを閲覧する時に、閲覧者と被閲覧者との人物関係に基づき、それに対応する音楽を自動選択および再生することができるため、ユーザの操作の煩雑さを低減し、ユーザの体験を向上させた。
【０１６７】
図１０は、一実施例にかかる別の端末デバイスを示すブロック図である。例えば、端末デバイス８００は携帯電話、コンピュータ、デジタル放送端末、メッセージ送受信機器、ゲームコンソール、タブレットデバイス、医療設備、フィットネス機器、ＰＤＡなどであってもよい。
【０１６８】
図１０を参照すると、端末デバイス８００は、処理ユニット８０２、メモリ８０４、電源ユニット８０６、マルチメディアユニット８０８、オーディオユニット８１０、入力/出力（Ｉ／Ｏ）インターフェース８１２、センサユニット８１４、および、通信ユニット８１６のうちの１つまたは複数を含んでもよい。
【０１６９】
処理ユニット８０２は、通常は、表示、電話発呼、データ通信、カメラ操作および記録操作に関連する操作のような、端末デバイス８００の全般操作を制御する。処理ユニット８０２は、上記方法の全部または一部のステップを実施させるように、指令を実行するための１つまたは複数のプロセッサ８２０を含んでもよい。また、処理ユニット８０２は、処理ユニット８０２と他のユニットとの間の相互作用を容易にするように、１つ又は複数のモジュールを含んでもよい。例えば、処理ユニット８０２は、マルチメディアユニット８０８と処理ユニット８０２との間の相互作用を容易にするように、マルチメディアモジュールを含んでもよい。
【０１７０】
メモリ８０４は、各タイプのデータを記憶して端末デバイス８００での操作をサポートするように構成される。これらのデータの例示は、端末デバイス８００で操作するための任意のアプリケーションもしくは方法の指令、連絡人データ、電話帳データ、メッセージ、ピクチャ、ビデオなどを含む。メモリ８０４は、如何なる種別の揮発性もしくは不揮発性記憶装置またはそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１７１】
電源ユニット８０６は、端末デバイス８００のユニットのそれぞれに電力を供給する。電源ユニット８０６は、電源管理システム、１つまたは複数の電源、並びに、端末デバイス８００用の電力を生成、管理および配分するに関する他のユニットを含んでもよい。
【０１７２】
マルチメディアユニット８０８は、前記端末デバイス８００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット８０８は、１つのフロントカメラおよび/またはバックカメラを含む。端末デバイス８００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１７３】
オーディオユニット８１０は、オーディオ信号を出力および/または入力するように構成される。例えば、オーディオユニット８１０は、マイク（ＭＩＣ）を備え、端末デバイス８００が操作モード、例えば、発呼モード、記録モードおよび音声識別モードであるとき、マイクは、外部オーディオ信号を受信するように構成される。受信されたオーディオ信号は、さらに、メモリ８０４に格納される、または、通信ユニット８１６を介して送信されることができる。一部の実施例では、オーディオユニット８１０は、オーディオ信号を出力するためのスピーカをさらに含む。
【０１７４】
Ｉ/Ｏインターフェース８１２は、処理ユニット８０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１７５】
センサユニット８１４は、様々な側面での状態推定を端末デバイス８００に供給するための１つまたは複数のセンサを含む。例えば、センサユニット８１４は、端末デバイス８００のオン/オフ状態、ユニットの相対位置を検出することができ、前記ユニットは、例えば、端末デバイス８００のディスプレイおよびキーパッドである。センサユニット８１４は、さらに、端末デバイス８００もしくは端末デバイス８００の１つのユニットの位置変更、ユーザと端末デバイス８００との接触の存在もしくは非存在、端末デバイス８００の方位もしくは加速/減速および端末デバイス８００の温度変化をさらに検出することができる。センサユニット８１４は、如何なる物理的接触もないとき、近辺にある物体の存在を検出するための近接センサを含んでもよい。センサユニット８１４は、さらに、イメージングアプリケーションに使用される光センサ、例えばＣＭＯＳまたはＣＣＤ画像センサを含んでもよい。一部の実施例では、当該センサユニット８１４は、さらに、加速度センサ、ジャイロセンサ、磁気センサ、圧力センサまたは温度センサを含んでもよい。
【０１７６】
通信ユニット８１６は、端末デバイス８００と他の機器間の無線または有線方式の通信ができるように構成される。端末デバイス８００は、通信規格に基づく無線ネットワーク、例えば、ＷｉＦｉ、２Ｇもしくは３Ｇ、またはそれらの組合せにアクセスすることができる。ある実施例では、通信ユニット８１６は、外部ブロードキャスト管理システムからのブロードキャスト信号またはブロードキャスト関連情報をブロードキャストチャネルを介して受信する。ある実施例では、前記通信ユニット８１６は、さらに、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１７７】
実施例では、端末デバイス８００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１７８】
実施例では、指令を含む非一時的コンピュータ読み取り可能な記憶媒体、例えば、指令を含むメモリ８０４をさらに提供し、上記指令が端末デバイス８００のプロセッサ８２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピー（登録商標）ディスクおよび光データ記憶機器などであってもよい。
【０１７９】
非一時的コンピュータ読み取り可能な記憶媒体であり、前記記憶媒体中の指令が携帯端末のプロセッサにより実行されることで、携帯端末が顔アルバムに基づく音楽再生方法を実行することができるようにする。前記方法は、
ユーザが目標顔アルバム中のピクチャを閲覧するためにトリガーした閲覧指令を取得するステップと、
前記ユーザの特徴情報を取得するステップと、
前記ユーザの特徴情報に基づき前記ユーザと前記目標顔アルバム中のピクチャに対応する被閲覧者との人物関係を特定するステップと、
あらかじめ設定された各人物関係と各音楽ジャンルとの対応関係に基づき、前記人物関係に対応する目標音楽ジャンルを特定するステップと、
前記目標顔アルバム中のピクチャおよび前記目標音楽ジャンルに対応する音楽を再生するステップと、を含む。
【０１８０】
当業者は明細書を考慮し、ここに公開された開示を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１８１】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１８２】
本発明は、出願番号が２０１５１０８４５７４４８であり、出願日が２０１５年１１月２６日である中国特許出願を基に提出するものであり、当該中国特許出願の優先権を主張し、当該中国特許出願の全ての内容は、参照のため本願に援用される。
【図１】
0006474393.tif 000002
【図２】
0006474393.tif 000003
【図３】
0006474393.tif 000004
【図４】
0006474393.tif 000005
【図５】
0006474393.tif 000006
【図６】
0006474393.tif 000007
【図７】
0006474393.tif 000008
【図８】
0006474393.tif 000009
【図９】
0006474393.tif 000010
【図１０】
0006474393.tif 000011